(57)【要約】【目的】遊技盤の裏面スペースにおける設計自由度を向上すると共に、電気基板を保護するための保護部材を別途設ける必要のない遊技機を提供する。【構成】液晶表示部２０３とドラム表示部２０４ａ，２０４ｂとでは、ユニット化された状態で遊技盤から後方への奥行幅が異なるように設けられ、収納ケース２００には、液晶表示部２０３とドラム表示部２０４ａ，２０４ｂとのうち、奥行幅の少ない液晶表示部２０３の奥行幅に合わせた取付凹部２５２を形成し、取付凹部２５２に電飾中継基板７５と盤用外部出力基板７８とを取り付けた。このように構成することにより、遊技盤の裏面スペースにおける設計自由度を向上することができ、然も電気基板としての電飾中継基板７５及び盤用外部出力基板７８を保護するための保護部材を別途設ける必要がない。【選択図】　　　　図１０
2004057586.tif 000002
【特許請求の範囲】
【請求項１】
遊技盤に形成された遊技領域に設けられ、識別情報を可変表示する第１の可変表示装置と第２の可変表示装置がユニット化して構成される可変表示ユニットを備えた遊技機であって、
前記可変表示ユニットは、前記第１の可変表示装置と前記第２の可変表示装置の後面側を一体的に被覆するカバー体と、前記遊技機における信号の送受信を行う電気基板と、を備えると共に、前記第１の可変表示装置と前記第２の可変表示装置とでは、ユニット化された状態で前記遊技盤から後方への奥行幅が異なるように設けられ、
前記カバー体には、前記第１の可変表示装置と前記第２の可変表示装置とのうち、奥行幅の少ない可変表示装置の奥行幅に合わせた凹部を形成し、該凹部に前記電気基板を取り付けたことを特徴とする遊技機。
【請求項２】
前記第１の可変表示装置は、画像によって識別情報を可変表示する画像表示装置から構成され、前記第２の可変表示装置は、外周に識別情報を有する回転体を駆動することにより識別情報を可変表示する機械的可変表示装置から構成されることを特徴とする請求項１記載の遊技機。
【請求項３】
前記機械的可変表示装置は、前記回転体を駆動する電気的駆動源と、該電気的駆動源及び前記回転体を前記カバー体に取り付ける金属製の取付基板と、を備え、前記回転体は、前記画像表示装置と前記取付基板との間に設けられていることを特徴とする請求項２記載の遊技機。
【請求項４】
前記可変表示ユニットの外周部分を装飾する装飾部材を備え、前記電気基板は、前記可変表示ユニットと前記装飾部材とに設けられる電気部品への信号配線を中継する中継基板、あるいは前記遊技機の遊技情報を外部に出力するための外部出力基板のうち少なくともいずれか一方の基板であることを特徴とする請求項１乃至請求項３のいずれかに記載の遊技機。
【請求項５】
前記カバー体の上部は、前記遊技盤から後方に向って遊技球を誘導する傾斜面によって形成されていることを特徴とする請求項１乃至請求項４のいずれかに記載の遊技機。
【請求項６】
前記凹部には、該凹部における前記電気基板の取付面と前記電気基板との間に所定の間隔をあけて電気基板を取り付けるための取付ボスを設けたことを特徴とする請求項１乃至請求項５のいずれかに記載の遊技機。
【請求項７】
前記カバー体には、前記可変表示ユニット内の熱を外部に放出するための放熱穴を設け、該放熱穴は、前記凹部の前記電気基板が取り付けられていない部分に設けられることを特徴とする請求項１乃至請求項６のいずれかに記載の遊技機。
【請求項８】
前記カバー体には、前記第１の可変表示装置と前記第２の可変表示装置との間を隔てる隔壁を設けたことを特徴とする請求項１乃至請求項７のいずれかに記載の遊技機。
【請求項９】
前記第１の可変表示装置と前記第２の可変表示装置を制御する単一のマイクロコンピュータを備えたことを特徴とする請求項１乃至請求項８のいずれかに記載の遊技機。
【発明の詳細な説明】
【０００１】
【発明の属する技術分野】
本発明は、遊技盤に形成された遊技領域に設けられ、第１の可変表示装置と第２の可変表示装置がユニット化して構成される可変表示ユニットを備えた遊技機に関するものである。
【０００２】
【従来の技術】
従来、遊技盤に形成される遊技領域への遊技球の打ち込みによって遊技を行うパチンコ遊技機等の遊技機においては、可変表示装置上で識別情報の可変表示を行い、その表示結果が特定表示態様となる場合に大当りとするものが数多く提供されている。このような可変表示装置には、ＬＣＤ等の画像表示装置で構成されたものや、ドラムあるいはベルト等の回転体を駆動する機械的可変表示装置で構成されたものがある。また、機械的可変表示装置に比べて装置自体の奥行幅が薄く形成される画像表示装置では、その奥行幅の薄さを利用して、画像表示装置の後面側（画像表示装置の後面を形成するカバー体）に遊技機における信号の送受信に関わる電気基板（例えば、表示制御基板や中継基板等）を取り付けたものが提案されている。なお、機械的可変表示装置は奥行幅が大きいので、その後面側ではなく遊技盤の裏面に電気基板を取り付けるようになっていた。そして、画像表示装置の後面側に電気基板を取り付けた構成によれば、機械的可変表示装置のような遊技盤の裏面に電気基板を取り付けるスペースをその分うかせることができ、遊技盤の裏面スペースにおける設計自由度を向上するようになっていた。
【０００３】
【発明が解決しようとする課題】
ところで、従来の可変表示装置には、画像表示装置（第１の可変表示装置）と機械的可変表示装置（第２の可変表示装置）とをユニット化した可変表示ユニットから構成されるものが提案されていた。しかしながら、このような可変表示ユニットでは、画像表示装置と機械的可変表示装置の後面側を一体的に被覆するカバー体をユニット状態で最も奥行幅のある機械的可変表示装置の奥行寸法に合わせたほぼ立方体形状に形成していた。このため、可変表示ユニットにおいても、単体の機械的可変表示装置と同様に、遊技盤の裏面に電気基板を取り付けなければならず、遊技盤の裏面スペースにおける設計自由度が低下していた。また、画像表示装置のような奥行寸法の小さいものの後面側に遊技盤の裏面スペースにおける設計自由度を上げるために電気基板を取り付ける場合、電気基板を保護するための保護部材を別途設ける必要があった。本発明は、上記した事情に鑑みなされたもので、その目的とするところは、ユニット化された状態で奥行方向の奥行幅が異なる第１の可変表示装置と第２の可変表示装置を備えた可変表示ユニットにおいて、遊技盤の裏面スペースにおける設計自由度を向上すると共に、電気基板を保護するための保護部材を別途設ける必要のない遊技機を提供することにある。
【０００４】
【課題を解決するための手段】
上記目的を達成するために、請求項１の発明においては、遊技盤に形成された遊技領域に設けられ、識別情報を可変表示する第１の可変表示装置と第２の可変表示装置がユニット化して構成される可変表示ユニットを備えた遊技機であって、前記可変表示ユニットは、前記第１の可変表示装置と前記第２の可変表示装置の後面側を一体的に被覆するカバー体と、前記遊技機における信号の送受信を行う電気基板と、を備えると共に、前記第１の可変表示装置と前記第２の可変表示装置とでは、ユニット化された状態で前記遊技盤から後方への奥行幅が異なるように設けられ、前記カバー体には、前記第１の可変表示装置と前記第２の可変表示装置とのうち、奥行幅の少ない可変表示装置の奥行幅に合わせた凹部を形成し、該凹部に前記電気基板を取り付けたことを特徴とする。このように構成することにより、ユニット化された状態で遊技盤から後方への奥行幅が異なる第１の可変表示装置と第２の可変表示装置を備えた可変表示ユニットにおいて、遊技盤の裏面スペースにおける設計自由度を向上することができ、然も電気基板を保護するための保護部材を別途設ける必要がない。
【０００５】
また、請求項２の発明においては、前記第１の可変表示装置は、画像によって識別情報を可変表示する画像表示装置から構成され、前記第２の可変表示装置は、外周に識別情報を有する回転体を駆動することにより識別情報を可変表示する機械的可変表示装置から構成されることを特徴とする。このように構成することにより、画像表示と機械的な表示との組み合わせによって演出内容を向上することができる。
【０００６】
また、請求項３の発明においては、前記機械的可変表示装置は、前記回転体を駆動する電気的駆動源と、該電気的駆動源及び前記回転体を前記カバー体に取り付ける金属製の取付基板と、を備え、前記回転体は、前記画像表示装置と前記取付基板との間に設けられていることを特徴とする。このように構成することにより、電気的駆動源の熱が伝わり易い金属製の取付基板を画像表示装置から離れた位置に配置することができ、ひいては画像表示装置を機械的可変表示装置（電気的駆動源）の熱から保護することができる。
【０００７】
また、請求項４の発明においては、前記可変表示ユニットの外周部分を装飾する装飾部材を備え、前記電気基板は、前記可変表示ユニットと前記装飾部材とに設けられる電気部品への信号配線を中継する中継基板、あるいは前記遊技機の遊技情報を外部に出力するための外部出力基板のうち少なくともいずれか一方の基板であることを特徴とする。このように構成することにより、中継基板を電気基板としてカバー体の凹部に取り付けた場合には、可変表示ユニットと装飾部材に設けられる電気部品と中継基板とを接続する配線を短くすることができ、ひいては配線接続の作業性向上と共に電気ノイズを極力少なくすることがてきる。また、配線作業が頻繁に行われる外部出力基板を電気基板としてカバー体の凹部に取り付けた場合には、基板を保護した状態で然も配線作業が行い易い位置に外部出力基板を取り付けることができる。
【０００８】
また、請求項５の発明においては、前記カバー体の上部は、前記遊技盤から後方に向って遊技球を誘導する傾斜面によって形成されていることを特徴とする。このように構成することにより、カバー体の上部に零れ落ちた遊技球がカバー体の上部に留まるのを防止することができる。
【０００９】
また、請求項６の発明においては、前記凹部には、該凹部における前記電気基板の取付面と前記電気基板との間に所定の間隔をあけて電気基板を取り付けるための取付ボスを設けたことを特徴とする。このように構成することにより、電気基板が可変表示ユニットからの熱を直接的に受けることを防止することができ、ひいては電気基板を保護することができる。
【００１０】
また、請求項７の発明においては、前記カバー体には、前記可変表示ユニット内の熱を外部に放出するための放熱穴を設け、該放熱穴は、前記凹部の前記電気基板が取り付けられていない部分に設けられることを特徴とする。このように構成することにより、電気基板に悪影響を与えることなく可変表示ユニット内の熱を外部に放出することができる。
【００１１】
また、請求項８の発明においては、前記カバー体には、前記第１の可変表示装置と前記第２の可変表示装置との間を隔てる隔壁を設けたことを特徴とする。このように構成することにより、第１の可変表示装置と第２の可変表示装置との間での熱の干渉を防止することができる。
【００１２】
また、請求項９の発明においては、前記第１の可変表示装置と前記第２の可変表示装置を制御する単一のマイクロコンピュータを備えたことを特徴とする。このように構成することにより、第１の可変表示装置と第２の可変表示装置との連動をより綿密に行わせることができ、ひいては第１の可変表示装置と第２の可変表示装置との間での同期した表示をより確実に且つ容易に行うことができる。
【００１３】
【発明の実施の形態】
以下、図面を参照して、本発明の実施形態について説明する。まず、図１乃至図６を参照して実施形態に係る遊技機としての弾球遊技機１の全体の構成について説明する。なお、遊技機としては、弾球遊技機に限らず、可変表示装置が設けられる遊技機、例えば、スロットマシン等であってもよい。
【００１４】
弾球遊技機１は、図１及び図３に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる前面開閉枠４とから構成されている。また、前面枠３に設けられる主要構成部としては、上記した前面開閉枠４、遊技盤４０、上皿１９、下皿２７、灰皿２９、操作ハンドル３０、機構板１００、発射装置８７がある。また、図示の実施形態では、弾球遊技機１の側方に遊技者に遊技球を貸し出すためのカードユニット３１が付設されている。
【００１５】
前面開閉枠４には、後述する遊技盤４０の遊技領域４１をほぼ透視し得る円形透視窓５が開設され、該円形透視窓５の裏面から複層ガラス板が装着されている。また、前面開閉枠４の上側には、円形透視窓５の外周に沿って、装飾ランプ６〜８，１５，１６が臨んでいる。この装飾ランプ６〜８，１５，１６は、遊技状態に応じて点灯又は点滅されるものであり、特別の遊技状態の発生時や継続時を遊技者に報知すると共に遊技の雰囲気を盛り上げるものである。また、円形透視窓５の外周には、払い出すべき賞球が不足したこと（後述する球切れスイッチ１１５が作動したとき）を報知する球切れランプ９や、入賞球の発生に基づいて所定個数の賞球が払い出されたことを報知する賞球ランプ１０（なお、賞球未払出分がある場合に報知する方式でもよい）が設けられ、更に、前面開閉枠４の上部左右に遊技の進行に応じた効果音を発生するスピーカ１２ａ，１２ｂが設けられている。なお、各ランプ６〜８，９，１０，１５，１６の前方は、それぞれ透光性を有する赤色、緑色等のランプカバーで被覆されるようになっている。特に、球切れランプ９の点灯を赤色発光で行い、賞球ランプ１０の点灯を緑色発光で行うことにより、遊技者に対して状況を報知するようになっている。また、スピーカ１２ａ，１２ｂの前面には、パンチメタル１１が取り付けられてスピーカ１２ａ，１２ｂから発生される音声を通すようになっている。また、スピーカ１２ａ，１２ｂの近傍（パンチメタル１１の裏面側）には、それぞれ光装飾用の装飾ＬＥＤ３７，３８が前面開閉枠４に取り付けられている。
【００１６】
次に、前面開閉枠４の下側に取り付けられる上皿１９の構成について説明すると、上皿１９は、複数の合成樹脂製部材を組合せた皿部材を固着することにより構成されている。上皿１９の開放側の上方には、球抜き操作レバー２１が設けられている。この球抜き操作レバー２１は、左右方向に移動可能に設けられ、スプリング（図示しない）の付勢力に抗して一方向に移動させることにより、上皿１９に貯留されていた球を裏面側に形成される球抜き路（図示しない）を流下させて下皿２７に誘導するものである。
【００１７】
上記した上皿１９について、さらに詳細に説明すると、上皿１９は、その上流側に形成される賞球払出口２０から払い出された賞球を一旦貯留した後、発射位置に遊技球を供給するものである。また、上皿１９には、弾球遊技機１に隣接して設けられるカードユニット３１を介して遊技球を借り受ける際に操作する操作部が設けられている。この操作部は、球貸スイッチ２４と返却スイッチ２５（共に図４に符号のみを記載）と表示ＬＥＤ（図示しない）が実装される残高表示基板２３（図４に符号のみを記載）からなり、該残高表示基板２３が上皿１９の上面に臨むように設けられている。また、上皿１９の開放側には、前面開閉枠４を前面枠３に対して施錠し且つ前面枠３を外枠２に対して施錠する施錠装置８４を操作するためのシリンダー錠２６が臨んでいる。
【００１８】
また、前面枠３の下部に取り付けられる下皿２７は、前記上皿１９から溢れた賞球であって余剰球通路（図示しない）を介して接続樋９３（図３参照）から排出される余剰の賞球を貯留するものであり、その下皿２７の前面壁には、球抜き操作レバー２８がスライド可能に取り付けられるようになっている。この球抜き操作レバー２８を操作することにより、下皿２７に貯留されていた賞球を下方に球抜きして持ち運び可能な球箱に移し替えることができる。また、下皿２７の左側には、灰皿２９が設けられ、右側には、操作ハンドル３０が設けられている。操作ハンドル３０は、図３に示す発射装置８７の発射装置電動機８８（ステッピングモータ）の駆動を一時的に停止させるための単発発射スイッチ９１及び遊技者が操作ハンドル３０を触れていることを検知するタッチセンサ（図示しない）を内蔵していると共に、弾発力を調節する指掛け部３２（図１参照）を備えるものである。
【００１９】
一方、弾球遊技機１の背面には、図３に示すように、入賞球の発生に基づいて所定個数の賞球を払い出すための各種の機構を装備した機構板１００が設けられると共に、前記操作ハンドル３０に対応する裏面には、発射装置電動機８８及び打球槌（図示しない）を有する発射装置８７が固着され、その発射装置８７の側方には、機構板１００の余剰球通路から流下してきた球を前記下皿２７に誘導する接続樋９３が固着されている。上記した構成のうち、発射装置８７には、発射制御基板９０が付設されており、この発射制御基板９０によって発射装置８７が駆動制御されるようになっている。
【００２０】
以上で、弾球遊技機１の全体の概略構成を説明したが、以下、弾球遊技機１を構成する要素のうち、遊技盤４０と、機構板１００の詳細な構成について順次説明する。
【００２１】
まず、主に図２を参照して遊技盤４０について説明する。遊技盤４０の表面には、円形うず巻き状に誘導レール４２が取り付けられ、該誘導レール４２の内側が遊技領域４１とされて発射された打球が落下するものである。遊技領域４１には、図示の場合、可変表示装置４４、特別可変入賞球装置４８、普通可変入賞球装置５８、通過球検出器６１ｂを内蔵する球通過口６１ａ等が設けられると共に、単に打球を入賞とする入賞口、打球の流下方向，速度を変化せしめる風車又は多数の障害釘が設けられ、また、遊技領域４１の最下方には、いずれの入賞装置にも入賞しない打球が取り込まれるアウト口６９が設けられている。
【００２２】
遊技領域４１の構成をその遊技動作に従ってより詳細に説明すると、可変表示装置４４の下方に普通可変入賞球装置５８が設けられ、この普通可変入賞球装置５８の両側方には、それぞれ通過球検出器６１ｂを内蔵する球通過口６１ａが設けられている。この通過球検出器６１ｂは、遊技領域４１を落下する打球の通過を検出すると、その検出信号に基づいて特別可変入賞球装置４８の両側方に設けられる左右一対のＬＥＤからなる普通図柄表示器６３を可変表示（点灯移動）して表示結果を導出する（左右いずれか一方のＬＥＤのみを点灯表示する）。しかして、普通図柄表示器６３の表示結果が予め定められた当りＬＥＤの点灯（図示の場合は、左側のＬＥＤ）である場合に、普通可変入賞球装置５８が所定時間開放される。なお、普通図柄表示器６３の可変時間は、通常確率モードのときに相対的に長く（例えば、３０秒）、モードのときに相対的に短く（例えば、３〜５秒）設定されている。また、普通可変入賞球装置５８の前面側には、普通図柄表示器６３の可変表示中に通過球検出器６１ｂを通過した打球数を記憶表示する普通図柄記憶表示ＬＥＤ６４（最高４個まで記憶表示する）が設けられている。
【００２３】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９（図４に符号のみを記載）によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると可変表示装置４４が可変表示を開始する。なお、普通可変入賞球装置５８の開放時間は、通常確率モードのときに相対的に短く（例えば、０．５秒）、確率変動モードのときに相対的に長く（例えば、２秒）設定されている。また、普通可変入賞球装置５８が開放していない場合でも打球を受け入れるようになっている。
【００２４】
可変表示装置４４は、図２に示すように、中央の画像表示装置となる液晶表示部２０３と、この液晶表示部２０３の左右両側方にそれぞれ位置する機械的可変表示装置となるドラム表示部２０４ａ，２０４ｂとを備え、左・中・右の特別図柄を個々に可変表示する。そして、可変表示装置４４の変動停止時における図柄の組合せが予め定めた大当り図柄の組合せ（例えば、同一の図柄が当りラインのいずれかに揃った場合）である場合に、特定遊技状態となって特別可変入賞球装置４８を次に説明する所定の態様で開閉駆動する。ただし、大当り図柄の組合せの一部は、確率変動図柄として設定され、この確率変動図柄で特定遊技状態となったときには、その特定遊技状態終了後の普通図柄表示器６３における当り（当りＬＥＤの点灯）の出現確率や可変表示装置４４における大当り図柄の出現確率が高くなる確率変動モードとなるように設定されている。
【００２５】
可変表示装置４４の裏面側には、各種ランプ・ＬＥＤ及び普通図柄・特別図柄用の各表示器を後述する主基板１５１からの情報信号の種類に応じて駆動制御する演出制御基板８０が取り付けられている。また、可変表示装置４４の前面外周には、装飾部材１８０が設けられ、この装飾部材１８０には、可変表示装置４４の前面を光装飾する飾りランプ４５と、可変表示装置４４の可変動作中に始動球検出器６０によって検出された球数を記憶して表示する特別図柄始動記憶ＬＥＤ４６と、装飾部材１８０に設けられる誘導通路１９１の内部を光装飾する通路内ＬＥＤ４７とが設けられている。
【００２６】
特定遊技状態となったときに駆動制御される特別可変入賞球装置４８は、ソレノイド５０（図４に符号のみを記載）によって開閉駆動される開閉板４９を有し、その開閉板４９に受け入れられた打球を検出する入賞個数検出器５２が設けられている。また、特別可変入賞球装置４８内（開閉板４９の内側）には、打球の検出（Ｖ入賞検出）に伴って特定遊技状態の継続権を成立させる特定球検出器５１が設けられており、該特定球検出器５１の上方には、一旦Ｖ入賞検出があると次に開閉板４９を開放するまでは打球が特定球検出器５１を通過しないようにするＶシャッター５３が設けられている。このＶシャッター５３は、ソレノイド４３（図４に符号のみを記載）によって開閉駆動が行われる。
【００２７】
しかして、特定遊技状態となった場合には、一定時間（例えば、２８秒）が経過するまで又はその一定時間内に所定個数（例えば、１０個）の入賞球が入賞するまで開閉板４９を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に所定回数（例えば、最高１５回）の開放サイクルを繰り返すことができるようになっている。
【００２８】
以上説明した本実施形態において、打球が入賞する入賞口及び入賞装置には、入賞球を検出するための信号が導出される球検出器５１，５２，５５，６５がすべて設けられている。これは、これらの検出信号に基づいて所定個数の賞球を払い出すために使用されるものである。しかして、これらの球検出器５１，５２，５５，６５は、図４に示すように、遊技盤面スイッチとして主基板１５１に接続されている。
【００２９】
遊技盤４０の遊技領域４１には、上記したようにスイッチやソレノイド、あるいは飾りランプや飾りＬＥＤ等の電気的部品が多数設けられるが、これらは、主基板１５１や演出制御基板８０に接続されるようになっている。即ち、図４に示すように、遊技盤４０に設けられる各スイッチ５１，５２，５５，６５，６１ｂ（図４では、遊技盤面スイッチとして記載）及び各ソレノイド４３，５０，５９は、主基板１５１に接続され、遊技盤４０に設けられる装飾ランプ５６，６７（共に図４に遊技効果ランプとして符号のみを記載）、遊技盤４０に設けられる飾りランプ４５（図４では、遊技効果ＬＥＤとして記載）、特別図柄始動記憶ＬＥＤ４６及び普通図柄始動記憶ＬＥＤ６４（図４では、記憶表示ＬＥＤとして記載）は、演出制御基板８０に接続されている。
【００３０】
一方、遊技盤４０の裏面には、図３に示すように、可変表示装置４４の裏面が突出して設けられており、この可変表示装置４４の裏面下方には、入賞球誘導カバー体７１が取り付けられている。可変表示装置４４の裏面側には、前述した演出制御基板８０と、該演出制御基板８０から装飾部材１８０に設けられる各種ランプ・ＬＥＤへの信号出力を中継する電飾中継基板７５と、各種情報を外部出力する盤用外部出力基板７８と、が取り付けられている。なお、盤用外部出力基板７８には、弾球遊技機１の営業管理上必要な遊技情報を遊技場に設置される管理コンピュータに出力するための外部接続端子７６が設けられている。
【００３１】
また、入賞球誘導カバー体７１の後面側には、効果音制御基板８２を収容する制御基板ボックス７９が取り付けられている。効果音制御基板８２は、スピーカ１２ａ，１２ｂを駆動制御するものであり、演出制御基板８０からの情報信号に応じて遊技内容に対応した効果音を発生させるものである。また、効果音制御基板８２には、音量を切り替える音量スイッチ８３（図４に符号のみを記載）が設けられている。
【００３２】
次に、弾球遊技機１の背面に設けられる機構板１００の構成について図３を参照して説明する。図３において、機構板１００は、遊技球を貯留する貯留タンク１０５と該貯留タンク１０５に貯留された賞球を下流側に整列しながら誘導する球整列レール部材１０８及びカーブレール部材１１１と、カーブレール部材１１１からの球を誘導する球通路１１４と、入賞に基づく賞球を払い出す払出装置１１６と、主として遊技盤４０に打ち込まれた入賞球を含む打球を処理する処理機構と、が機構板１００上に設けられる。球整列レール部材１０８の下流側上部には、外部との信号線が接続される外部接続端子１３３を有する情報端子基板１３２が設けられる。情報端子基板１３２に設けられる外部接続端子１３３からは、外部（例えば、管理コンピュータ）へ貯留タンク１０５にて球が不足している旨の球切れ情報と貸球情報と賞球情報とが出力される。
【００３３】
また、カーブレール部材１１１の下流側には、垂直状に球通路部材が設けられる。具体的には、左右２列の球通路１１４から球通路部材が構成され、該２列の球通路１１４には、それぞれ球切れスイッチ１１５が通路に臨むように設けられている。この球切れスイッチ１１５は、図４に示すように、主基板１５１に接続され、球切れスイッチ１１５が球を検出しなくなったときには、払出装置１１６の作動を停止して球の払出を不能動化させるようになっている。払出装置１１６は、ほぼ直方体形状をなすケースの内部に収納されて機構板１００の前面側に着脱自在に取り付けられるようになっている。
【００３４】
また、機構板１００の下部後面側には、電圧の異なる複数の電源を生成する電源生成基板１３７を収容する電源ユニットボックス１３６と、遊技盤４０に設けられる可変表示装置４４や特別可変入賞球装置４８等の遊技装置の動作を制御する主基板１５１を収容する主基板ボックス１５０と、前記払出装置１１６の動作を制御する払出制御基板１４４を収容する払出制御基板ボックス１４３が設けられる。電源生成基板１３７は、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００３５】
以上、弾球遊技機１の構成、遊技盤４０の構成、及び機構板１００の構成について説明してきたが、次に、配線接続される回路構成について、図４及び図５を参照して説明する。まず、主基板１５１は、図４に示すように、プログラムに従って各種制御動作を行うＣＰＵ（Ｃｅｎｔｒａｌ　Ｐｒｏｃｅｓｓｉｎｇ　Ｕｎｉｔ）１５１ａ、ワークメモリとして使用される記憶手段の一例であるＲＡＭ（Ｒａｎｄｏｍ　Ａｃｃｅｓｓ　Ｍｅｍｏｒｙ）１５１ｂ、プログラムや発光・音発生のパターン等を記憶するＲＯＭ（Ｒｅａｄ　Ｏｎｌｙ　Ｍｅｍｏｒｙ）１５１ｃ、Ｉ／Ｏポート１５１ｄを備え、弾球遊技機１で行われる遊技の進行を制御するようになっている。この主基板１５１には、遊技盤４０に設けられる各球検出器（遊技盤面スイッチとして記載）５１，５２，５５，６１ｂ，６５及び始動球検出器６０、また、満タンスイッチ１２９及び球切れスイッチ１１５、更に、払い出された賞球を検出する賞球カウントスイッチ１２０からの信号が入力されるものである。
【００３６】
また、主基板１５１は、遊技盤４０に設けられるソレノイド４３，５０，５９を駆動制御すると共に、盤用外部出力基板７８へ遊技情報を出力する。また、主基板１５１は、演出制御基板８０及び払出制御基板１４４と接続され、制御信号を主基板１５１から各制御基板８０，１４４への一方向通信によりそれぞれ出力する。演出制御基板８０は、主基板１５１から入力される制御信号に応じて、各種ランプ６〜１０，１５，１６，５６，６７及び各種ＬＥＤ３７，３８，４５，４６，４７，６４を表示駆動制御すると共に、主基板１５１から入力される表示制御信号に応じて可変表示装置４４（特別図柄表示装置として記載）、普通図柄表示器６３の表示結果を導出するように制御する。なお、演出制御基板８０と装飾部材１８０に設けられる各種ランプ・ＬＥＤ４５〜４７との間には、電飾中継基板７５が設けられ、制御信号の中継が行われるようになっている。効果音制御基板８２は、演出制御基板８０から入力される効果音制御信号に応じてスピーカ１２ａ，１２ｂを駆動制御し、遊技内容に対応した効果音を発生させる。払出制御基板１４４は、主基板１５１から入力される払出制御信号に応じて払出装置１１６を駆動制御すると共に、発射制御基板９０へ発射制御信号を出力する。また、払出制御基板１４４は、カードユニット３１、残高表示基板２３と接続され、貸球払出の制御を行う。発射制御基板９０は、払出制御基板１４４からの発射制御信号に応じて発射装置８７の制御を行う。また、情報端子基板１３２は、主基板１５１、払出制御基板１４４と接続され、外部へ遊技情報を出力する。また、盤用外部出力基板７８は、図５に示すように、弾球遊技機１の営業管理上必要な遊技情報（例えば、特定遊技状態中である旨を報知する大当り１情報、確率変動図柄で特定遊技状態となり、その特定遊技状態中及びその大当りによる確率変動中である旨を報知する大当り２情報（特定遊技状態中と確率変動中に出力され続ける信号）、確率変動図柄による特定遊技状態終了後の確率変動中である旨を報知する確率変動情報、始動球検出器６０をＯＮした打球の数を報知する始動口情報、可変表示装置４４の可変動作回数を報知する図柄確定回数１情報、普通図柄表示器６３の可変動作回数を報知する図柄確定回数２情報、及び普通可変入賞球装置５８の開閉回数を報知する役物回数情報）を主基板１５１から入力して、これを外部に出力する。
【００３７】
上記した回路構成のうち、図６を参照して演出制御基板８０及び可変表示装置４４（特別図柄表示装置として記載）の回路構成の詳細について説明する。図６において、演出制御基板８０は、演出制御基板８０内に設けられた各種回路から構成され、主基板１５１とは独立して特図ゲーム（特別図柄の可変表示に関わる遊技）における可変表示や特定演出の表示制御を行うものである。このように、特図ゲームにおける可変表示や特定演出の表示制御は、主基板１５１から独立した演出制御基板８０で行われるため、主基板１５１で行われる制御のプログラム量や主基板１５１の回路構成を簡素化することができる。このため、主基板１５１で行われる制御のプログラムや主基板１５１の回路に不正が行われた場合でもその発見がし易く、不正を発見するための検査も容易に行うことができる。
【００３８】
演出制御基板８０は、主基板１５１から出力される表示制御コマンドデータに基づいて、ドラム表示部２０４ａ，２０４ｂを構成するドラムモータ２６１及びドラムランプ２７３を駆動制御すると共に、液晶表示部２０３を構成するＬＣＤ２２０での画像表示を制御し、また、主基板１５１から出力される各種ランプ・ＬＥＤの駆動制御コマンドデータに基づいて、各種ランプ６〜１０，１５，１６，５６，６７及び各種ＬＥＤ３７，３８，４５，４６，４７，６４を駆動制御する。このため、演出制御基板８０は、発振回路１６０と、リセット回路１６１と、表示制御用ＭＣＵ１６２と、制御ＲＯＭ１６３と、Ｉ／Ｏポート１６４と、ビデオディスプレイプロセッサ（以下、ＶＤＰ：Ｖｉｄｅｏ　Ｄｉｓｐｌａｙ　Ｐｒｏｃｅｓｓｏｒ）１６５と、キャラクタＲＯＭ１６６と、ＶＲＡＭ（Ｖｉｄｅｏ　ＲＡＭ）１６７と、ＬＣＤ駆動回路１６８と、ドラムモータ制御回路１６９と、ドラムランプ制御回路１７０と、ランプ・ＬＥＤ制御回路１７１とを備えている。
【００３９】
発振回路１６０は、表示制御用ＭＣＵ１６２に基準クロック信号を出力するものであり、リセット回路１６１は、表示制御用ＭＣＵ１６２をリセットするためのリセット信号を出力するものである。表示制御用ＭＣＵ１６２は、３２ビットＣＰＵ１６２ａをコアとして、ワークＲＡＭ１６２ｂを備えたものである。ＣＰＵ１６２ａは、主基板１５１からＩ／Ｏポート１６４を介してコマンドデータが入力されると、ワークＲＡＭ１６２ｂを作業領域として用いながら、制御ＲＯＭ１６３から表示制御のための制御データを読み出す。また、ＣＰＵ１６２ａは、読み出した制御データに基づき、ＶＤＰ１６５，ドラムモータ制御回路１６９、ドラムランプ制御回路１７０、及びランプ・ＬＥＤ制御回路１７１にそれぞれ制御信号を出力する。
【００４０】
制御ＲＯＭ１６３は、表示制御用ＭＣＵ１６２によって利用される各種制御プログラム等を格納する半導体メモリである。Ｉ／Ｏポート１６４は、主基板１５１からの入力信号を表示制御用ＭＣＵ１６２に受け渡すためのインターフェースである。
【００４１】
ＶＤＰ１６５は、画像表示を行うための表示装置制御機能及び高速描画機能を有し、ＣＰＵ１６２ａからの描画命令に従って動作し、特定演出を行うキャラクタ画像あるいは識別情報を表示させる。また、ＣＰＵ１６２ａとは独立した２次元のアドレス空間を持ち、そこにＶＲＡＭ１６７をマッピングしている。キャラクタＲＯＭ１６６は、ＬＣＤ２２０に表示される画像の中でも使用頻度の高いキャラクタ画像データ、例えば、人物、動物、文字、図形、または記号を予め格納しておくためのものである。ＶＲＡＭ１６７は、ＶＤＰ１６５により生成された画像データを展開するためのフレームバッファメモリである。ＬＣＤ駆動回路１６８は、ＶＤＰ１６５から入力された画像データを、色信号と同期信号とからなるビデオ信号に変換し、ＬＣＤ２２０に出力する。
【００４２】
ドラムモータ制御回路１６９は、ドラムモータ２６１に対して送りステップまたは戻りステップ制御を行うためのパルス信号を出力するものであり、ドラム表示部２０４ａ，２０４ｂに所定の可変表示動作を行わせるものである。ドラムランプ制御回路１７０は、ドラムランプ２７３に対して点灯及び消灯を指示するための制御信号を出力するものである。
【００４３】
演出制御基板８０は、上記したような回路構成を有するものであるが、演出制御基板８０を構成するもののうち、キャラクタＲＯＭ１６６によって画像データ記憶手段が構成され、ＶＤＰ１６５，ＶＲＡＭ１６７及びＬＣＤ制御回路１６８によって画像処理プロセッサが構成され、ドラムモータ制御回路１６９及びドラムランプ制御回路１７０によってドライバ回路が構成されている。この画像処理プロセッサによって液晶表示部２０３が表示制御され、また、ドライバ回路によってドラム表示部２０４ａ，２０４ｂが回転駆動制御されるものである。
【００４４】
また、表示制御用ＭＣＵ１６２及び制御ＲＯＭ１６３によって演出制御用マイクロコンピュータが構成されており、液晶表示部２０３における特定演出と同期させてドラム表示部２０４ａ，２０４ｂで所定の可変表示動作を行う制御は、この演出制御用マイクロコンピュータとしての表示制御用ＭＣＵ１６２及び制御ＲＯＭ１６３によって行われる。また、前述した特図ゲームにおける可変表示及び特定演出のための表示制御や特定演出を行うか否かの決定も、演出制御基板８０に含まれるこの演出制御用マイクロコンピュータとしての表示制御用ＭＣＵ１６２及び制御ＲＯＭ１６３によって行われる。具体的には、ドライバ回路は、演出制御用マイクロコンピュータから送信される所定の可変表示動作信号を受信して、ドラム表示部２０４ａ，２０４ｂで所定の可変表示動作を行う。また、画像処理プロセッサは、演出制御用マイクロコンピュータから送信される画像信号を受信して、画像データを用いて所定のキャラクタ画像あるいは識別情報の画像を、ドラム表示部２０４ａ，２０４ｂでの所定の可変表示動作と同期して液晶表示部２０３で表示する。
【００４５】
このように、液晶表示部２０３及びドラム表示部２０４ａ，２０４ｂの制御は、共通の演出制御用マイクロコンピュータを介してそれぞれ画像処理プロセッサ及びドライバ回路によって行われるため、主基板１５１から演出制御基板８０に対して制御コマンドを１つ送信すれば液晶表示部２０３及びドラム表示部２０４ａ，２０４ｂの双方を制御可能となるため、複数のコマンドを別々に送信したときのような送信タイミングのズレ等がなく、確実な制御を行うことができる。
【００４６】
なお、上記した実施形態においては、演出制御基板８０によって液晶表示部２０３及びドラム表示部２０４ａ，２０４ｂを制御するものであるが、それぞれに制御基板を設け、液晶表示部２０３及びドラム表示部２０４ａ，２０４ｂを独立して制御するものであってもよい。また、実施形態中では、演出制御用マイクロコンピュータが表示制御用ＭＣＵ１６２及び制御ＲＯＭ１６３によって構成されるものを示したが、制御ＲＯＭを含まないものであってもよく、少なくとも表示制御用ＭＣＵ１６２を構成要素として有するものであればよい。
【００４７】
次に、可変表示装置４４及び可変表示装置４４の前面側を装飾するための装飾部材１８０について図７乃至図１１を参照して説明する。なお、以下の説明において、弾球遊技機１の遊技者側を手前側，前面側で示し、弾球遊技機１を挟んで遊技者側と反対側を奥側，後面側，裏面側で示す。
【００４８】
まず、図７において、装飾部材１８０は、横長の略長方形状に形成されると共に、その中央に形成される枠開口部１８３と、この枠開口部１８３の前端側の全周に亘って形成されたフランジ部１８１と、を備えた額縁形状をなしている。このフランジ部１８１には、装飾部材１８０を遊技盤４０に取り付けるための取付穴１８２が適宜間隔を置いて複数穿設されている。枠開口部１８３は、可変表示装置４４の表示面が位置する部分であり、その中央には、液晶表示部２０３で行われる可変表示が透視される液晶表示面１８４が形成され、この液晶表示面１８４の両側方には、ドラム表示部２０４ａ，２０４ｂで行われる可変表示が透視されるドラム表示面１８５ａ，１８５ｂが形成されている。液晶表示面１８４は、枠開口部１８３の中央部分の奥側に平面状に形成されているのに対し、液晶表示面１８４は、手前側に向かって湾曲して形成されている。このドラム表示面１８５ａ，１８５ｂの湾曲面は、ドラム表示部２０４ａ，２０４ｂの後述する回転体２２５の外周に沿って形成されるものである。なお、液晶表示面１８４及びドラム表示面１８５ａ，１８５ｂは、前述のように、それぞれ液晶表示部２０３及びドラム表示部２０４ａ，２０４ｂで行われる可変表示を透視するものであるため、透明に形成されている。また、液晶表示面１８４は、ドラム表示面１８５ａ，１８５ｂよりも広く形成されており（図１参照）、このため、液晶表示部２０３は、ドラム表示部２０４ａ，２０４ｂよりも広い表示領域を有している。このように、液晶表示部２０３がドラム表示部２０４ａ，２０４ｂよりも広い表示領域を有しているため、液晶表示部２０３に表示される画像を大きく表示でき、画像による演出を明瞭に表示することができる。
【００４９】
ドラム表示面１８５ａ，１８５ｂの液晶表示面１８４側の側面下方には、後述する誘導通路１９１を通過してきた遊技球が排出される誘導通路排出口１９２が形成されている。また、液晶表示面１８４の手前側下方であって、両ドラム表示面１８５ａ，１８５ｂ間には、誘導通路排出口１９２から排出された遊技球が転動する転動部としての上部転動部１８６が手前側に傾斜して形成されており、この上部転動部１８６の両側方に誘導通路排出口１９２が臨んでいる。
【００５０】
また、上部転動部１８６の手前側下方には、上部転動部１８６から落下した遊技球が転動する下部転動部１８７が、枠開口部１８３の横方向全体に亘って形成されている。この下部転動部１８７は、枠開口部１８３の下面を形成するものであり、両側方から中央にかけてなだらかに傾斜しており、その中央には、下部転動部１８７上の遊技球が普通可変入賞球装置５８に向けて落下し易くするための誘導部１８８が形成されている。
【００５１】
装飾部材１８０の中央最上部には、円弧形状に突出部１８９が手前側に突設されており、この突出部１８９の左右両側には、遊技領域４１を流下する遊技球を誘導通路１９１に導くための誘導通路入口１９０が形成されている。誘導通路１９１は、装飾部材１８０の裏面側に、左右対称に形成されている。この誘導通路１９１は、突出部１８９から液晶表示面１８４とドラム表示面１８５ａ，１８５ｂとの間の上部に向けて傾斜して形成された通路部分と、液晶表示面１８４とドラム表示面１８５ａ，１８５ｂとの間で鉛直状に延びて形成された通路部分と、から構成されている。この鉛直状に延びて形成された通路部分は、図８（Ａ）（Ｂ）に示すように、遊技者との対向側（誘導通路１９１の前面側）の壁面を形成する前面壁１９３と、前記通路内ＬＥＤ４７を通路方向となる上下方向に沿って３個並設するＬＥＤ基板４７ａが配置された後面壁１９４と、から構成されている。前面壁１９３は、誘導通路１９１の前面及び左右両側面を構成する断面コの字状に形成されると共に、通路内ＬＥＤ４７の光を遊技者側に透光する透光性部材によって形成されている。また、前面壁１９３の内面には、誘導通路１９１内を流下する遊技球Ｐの流下速度を弱めるための減速片１９５が後述する衝突防止片１９７と対向しない部分で上下２箇所に突設されている。なお、減速片１９５は、遊技球Ｐの流下速度を弱めることで、誘導通路排出口１９２からの遊技球Ｐの排出を安定させるようになっている。また、減速片１９５を衝突防止片１９７と対向する部分に設置した場合には、球詰まりを回避するために誘導通路１９１の通路幅を必要以上に大きくしなければならないが、実施形態中では、減速片１９５を衝突防止片１９７と対向しない部分に設置しているため、不必要に誘導通路１９１の通路幅を大きくする必要がない。
【００５２】
一方、後面壁１９４には、上・中・下３個の通路内ＬＥＤ４７を個々に誘導通路１９１内に挿入する挿入穴１９６が穿設されると共に、遊技球Ｐが通路内ＬＥＤ４７と衝突するのを防止する衝突防止片１９７と、一旦排出された遊技球Ｐが再度誘導通路排出口１９２から流入するのを防止する逆流防止片１９８とが突設されている。衝突防止片１９７は、上側の通路内ＬＥＤ４７の上流部分に設けられる衝突防止片１９７ａと、中央の通路内ＬＥＤ４７の上流部分に設けられる衝突防止片１９７ｂと、下側の通路内ＬＥＤ４７の上流部分に設けられる衝突防止片１９７ｃと、からなる。衝突防止片１９７ａは、その上面部分（遊技球Ｐの流下方向の最も上流側に位置する部分）が遊技球Ｐとの衝突において衝撃力を緩衝するために下り傾斜状（円弧状）に形成されている。一方、衝突防止片１９７ｂ，１９７ｃは、それぞれ上下に隣接する各挿入穴１９６の間で一定の突出寸法で形成されている。逆流防止片１９８は、誘導通路排出口１９２の付近で左右２条に形成され、その上面部分は、衝突防止片１９７ａと同様に遊技球Ｐとの衝突において衝撃力を緩衝するために下り傾斜状（円弧状）に形成されている。このように本実施形態では、通路内ＬＥＤ４７の全周を囲むのではなく誘導通路１９１内における通路内ＬＥＤ４７の上流部分にのみ衝突防止片１９７を突設したので、通路内ＬＥＤ４７の光を広範囲で拡散するようになっている。
【００５３】
なお、遊技球Ｐが通路内ＬＥＤ４７と衝突するのを防止するための設計寸法として、通路内ＬＥＤ４７を１個挟んだ衝突防止片１９７同士の間隔（実施形態中では、挿入穴１９６の直径となる）は、遊技球Ｐの半径以下の値に設定され、また、誘導通路１９１内における衝突防止片１９７の突出寸法及び幅寸法は、通路内ＬＥＤ４７の突出寸法及び幅寸法よりも大きい値に設定されている。但し、衝突防止片１９７同士の間隔は、遊技球Ｐの半径以下の値に限定するものではなく、衝突防止片１９７と通路内ＬＥＤ４７のそれぞれの突出寸法及び幅寸法の関係において、遊技球Ｐが通路内ＬＥＤ４７と衝突しない設定寸法であればいずれの値であってもよい。また、衝突防止片１９７の材質は、特に限定するものではないが、透光性部材によって衝突防止片１９７を形成した場合には、通路内ＬＥＤ４７の光を最低限でしか遮ることがないので、通路内ＬＥＤ４７の光の拡散をより一層高めることができ、然も通路内ＬＥＤ４７が光を発した際に衝突防止片１９７を目立たなくできる。また、衝突防止片１９７ａの上面部分（遊技球の流下方向の最も上流側に位置する部分）の形状は、円弧状に限定するものではなく、遊技球Ｐとの衝突において衝撃力を緩衝し得る下り傾斜状であれば直線的なもの等、いずれの形状であってもよい。
【００５４】
そして、上記した誘導通路入口１９０から誘導通路１９１内に導かれた遊技球は、液晶表示面１８４とドラム表示面１８５ａ，１８５ｂとの間の上部に向けて流下し、ドラム表示面１８５ａ，１８５ｂの内側を流下した後、誘導通路排出口１９２から上部転動部１８６に向けて排出される。その後、遊技球は、上部転動部１８６から下部転動部１８７を通り、最終的には誘導部１８８から再度遊技領域４１に排出される。また、このような誘導部１８８からの遊技球の排出において、誘導部１８８は、普通可変入賞球装置５８の真上部分に位置するようになっている。このため、誘導部１８８から排出される遊技球、言い換えれば誘導通路１９１を通った遊技球は、比較的高い確率で普通可変入賞球装置５８に入賞するようになっている。
【００５５】
ところで、上記した誘導通路１９１内を光装飾する通路内ＬＥＤ４７は、図９に示すように、可変表示装置４４の表示態様を含む各種遊技状態に応じて発光するようになっている。具体的には、図９（Ａ）に示すように、可変表示装置４４での特別図柄の変動開始と同時に、通路内ＬＥＤ４７が所定期間Ｔ１で点灯する。その後、特別図柄のリーチ変動Ａが行われると、その変動期間中、通路内ＬＥＤ４７は、所定期間Ｔ１の点灯と所定期間Ｔ１の消灯を交互に繰り返す。また、通路内ＬＥＤ４７は、図９（Ｂ）に示すように、図柄変動開始時に所定期間Ｔ１点灯した後、特別図柄のリーチ変動Ｂが行われると、その変動期間中、所定期間Ｔ２（＜Ｔ１）の点灯と所定期間Ｔ２の消灯を交互に繰り返す。その後、特別図柄の表示結果として大当り図柄が導出表示され、これに伴って特定遊技状態が発生されると、その特定遊技状態の発生期間Ｔ３中、通路内ＬＥＤ４７は継続的に点灯する。但し、通路内ＬＥＤ４７が点灯するタイミング及び遊技状態は、図９（Ａ）（Ｂ）に記載のものに限定しない。例えば、再変動等の様々な特別図柄の変動態様に応じて通路内ＬＥＤ４７を点灯させてもいいし、さらには可変表示装置４４（液晶表示部２０３）での大当り図柄の導出表示時、デモ表示時、キャラクター表示時、メッセージ表示時、大当り中デモ表示時等の表示態様に応じて通路内ＬＥＤ４７を点灯させてもよい。
【００５６】
次に、図１０において、可変表示装置４４は、主として、可変表示装置４４の外形をなし、液晶表示部２０３及びドラム表示部２０４ａ，２０４ｂを収納する収納ケース２００と、演出制御基板８０を取り付けるための演出制御基板ケース２０１と、後述するドラム用電源基板２３４を覆うためのドラム用電源基板ケース２０２と、ＬＣＤ２２０により構成されて可変表示及び特定演出を行う液晶表示部２０３と、ドラムモータ２６１及びドラムランプ２７３等により構成されて可変表示を行うドラム表示部２０４ａ，２０４ｂと、収納ケース２００の前面側に取り付けられる表示枠２２５と、可変表示装置４４を弾球遊技機１へ取り付けるための取付金具２４６と、から構成されている。なお、収納ケース２００内には、左・中・右の配置位置でドラム表示部２０４ａ、液晶表示部２０３、ドラム表示部２０４ｂが並設されるようになっている。
【００５７】
収納ケース２００は、縦断面形状がほぼコ字状に形成される箱型形状のものであり、その前面側には、前面開口部２０５が形成されると共に、この前面開口部２０５の周回には、外側に向かってフランジ部２０６が突設されている。このフランジ部２０６の内側の両側方の上方及び下方には、後述するドラム取付板２６４のドラム板挿入片２７９が挿入されるドラム板挿入溝２１３が形成されている。この収納ケース２００の下側面には、後述するＬＣＤ接続ケーブル２２３，ドラム接続ケーブル２７４等が挿通される角型形状の側方開口部２０７が形成されると共に、演出制御基板８０及び演出制御基板ケース２０１を取り付けるための演出制御基板取付穴２０９が複数個所穿設されている。
【００５８】
また、収納ケース２００の内側には、ドラム表示部２０４ａと液晶表示部２０３の間、液晶表示部２０３とドラム表示部２０４ｂの間をそれぞれ区画するための隔壁２１１が設けられており、該隔壁２１１の上下の両端部分には、液晶表示部２０３を取り付けるための取付ボス２１２が形成されている。なお、隔壁２１１は、ドラム表示部２０４ａと液晶表示部２０３の間、及び液晶表示部２０３とドラム表示部２０４ｂの間を個々に区画することで、各表示部２０３，２０４ａ，２０４ｂ間での熱の干渉を防止するようになっている。また、収納ケース２００の上面、後面、及び下面に亘って、取付金具２４６が嵌入される取付溝２０８が形成されると共に、外側右側面には、ドラム表示部２０４ａ，２０４ｂを駆動するのに必要な電源を供給するためのドラム用電源基板２３４を取り付けるためのドラム用電源基板取付ボス２１０が突設されている。
【００５９】
また、収納ケース２００の後面には、図１１に示すように、電飾中継基板７５と盤用外部出力基板７８とを取り付けるための取付凹部２５２が形成されている。この取付凹部２５２は、収納ケース２００内に収納される液晶表示部２０３とドラム表示部２０４ａ，２０４ｂとの奥行幅の違いによって形成された凹部である。具体的には、中央に配置される液晶表示部２０３は、左右のドラム表示部２０４ａ，２０４ｂに比べて奥行幅が薄くなっており、この奥行幅が薄くなった部分を取付凹部２５２として収納ケース２００の後面に形成している。このように本実施形態では、ユニット化された状態で奥行き方向の奥行幅が異なる液晶表示部２０３（第１の可変表示装置）とドラム表示部２０４ａ，２０４ｂ（第２の可変表示装置）を備えた可変表示ユニットとしての可変表示装置４４において、各表示部２０３，２０４ａ，２０４ｂの後面側を一体的に被覆するカバー体としての収納ケース２００に、各表示部２０３，２０４ａ，２０４ｂの奥行幅の違いに合わせた取付凹部２５２を形成し、該取付凹部２５２内に電気基板としての電飾中継基板７５及び盤用外部出力基板７８を取り付けたので、遊技盤４０の裏面スペースにおける設計自由度を向上することができ、然電気基板を保護するための保護部材を別途設ける必要がない。
【００６０】
また、取付凹部２５２の底面（各基板７５，７８の取付面）には、各基板７５，７８をビス２５３止めするための取付ボス２５４が突設されている。これにより、各基板７５，７８は、取付凹部２５２の底面（収納ケース２００の外壁面）との間で若干間隔を置いて収納ケース２００に取り付けられるようになっている。従って、収納ケース２００内に収納される液晶表示部２０３及びドラム表示部２０４ａ，２０４ｂから発せられる熱は、直接的に各基板７５，７８には伝達されないようになっており、熱によって各基板７５，７８が悪影響を受けることを防止している。
【００６１】
また、収納ケース２００の上面及び取付凹部２５２の両側方となる後面には、それぞれ放熱穴２５５が穿設されている。この放熱穴２５５は、各基板７５，７８が放熱穴２５５から放出される熱を直接受けないように取付凹部２５２の各基板７５，７８が取り付けられていない部分に設けられている。また、放熱穴２５５が穿設される収納ケース２００の上面には、その上面よりも基板端部が上にはみ出て取り付けられる盤用外部出力基板７８（なお、電飾中継基板７５の基板端部は、収納ケース２００の上面からはみ出ない状態で取り付けられる。）との対応部分に複数の貯留防止片２５６が並列して突設されている。貯留防止片２５６は、その上端部が盤用外部出力基板７８の上端部（基板端部）よりも高い位置まで突出されると共に、遊技盤４０から後方に向って下り傾斜して形成されており、各貯留防止片２５６同士の間隔は、遊技球の直径以下に設定されている。これにより、弾球遊技機１の裏面側で（例えば、貯留タンク１０５から）零れ落ちた遊技球が収納ケース２００の上に落ちるような場合でも、その遊技球は、盤用外部出力基板７８の基板端部に引っ掛かって留まることはなく、貯留防止片２５６に沿って後方に導かれて弾球遊技機１の裏面から排出されるようになっている。従って、遊技球が盤用外部出力基板７８の導通部分と接触することが回避でき、結果として遊技球の接触に伴う盤用外部出力基板７８のトラブルを未然に防止するようになっている。なお、電飾中継基板７５との対応部分となる収納ケース２００の上面も後方に向って下り傾斜して形成されており、零れ落ちた遊技球を後方に導くようになっている。
【００６２】
また、演出制御基板ケース２０１は、一側面が開放した箱型形状に形成されるものであり、その前面側の隅角部には、演出制御基板ケース２０１を演出制御基板８０と共に収納ケース２００に取り付けるためのケース取付穴２１５が形成されると共に、後面側の両側方には、裏板２４１を係止するためのケース挿入片２１６が突設されている。
【００６３】
また、ドラム用電源基板ケース２０２は、一側面が開放した箱型形状に形成されるものであり、その前面側の上下には、ドラム用電源基板ケース２０２をドラム用電源基板２３４と共に収納ケース２００に取り付けるためのケース取付穴２３６が穿設されると共に、後面側の下方には、裏板２４１を係止するためのケース挿入片（図示しない）が突設されている。
【００６４】
また、液晶表示部２０３は、ＬＣＤ２２０により構成されており、このＬＣＤ２２０の両側方の上下には、ＬＣＤ２２０を収納ケース２００に取り付けるためのＬＣＤ取付穴２２２を有する取付フランジ２２１が突設されている。また、ＬＣＤ２２０の上部左側方には、ＬＣＤ２２０と演出制御基板８０とを接続するためのＬＣＤ接続ケーブル２２３が取り付けられている。
【００６５】
また、表示枠２２５は、板金によりほぼ平板状に形成されるものであり、その中央には、液晶表示部２０３及びドラム表示部２０４ａ，２０４ｂが臨む表示枠開口２２６が形成されている。また、表示枠２２５の上側方左右の一部が折り曲げられて取付穴２２８を有する取付フランジ２２７として形成されている。この取付フランジ２２７の一側方には、表示枠２２５を収納ケース２００に取り付けるための取付穴２３０が穿設されている。また、表示枠開口２２６の下側方左右には、後述する取付金具２４６の係合部が係合される係合溝２２９が形成されている。
【００６６】
また、ドラム表示部２０４ａ，２０４ｂは、主として、その外周面に識別情報の描かれるドラム形状の回転体２６０と、回転体２６０を駆動するためのドラムモータ２６１と、回転体２６０の識別情報をその裏面側から照射するためのドラムランプ２７３が取り付けられるドラム基板２６３と、ドラムランプ２７３の光を前面側に反射させるための反射板２６２と、ドラム表示部２０４ａ，２０４ｂを収納ケース２００に取り付けるためのドラム取付板２６４と、ドラム基板２６３の裏面側の一部を保護するための保護部材２６５と、から構成されている。
【００６７】
回転体２６０は、円筒形状に形成されると共に、その外周面に可変表示される識別情報が描かれている。また、回転体２６０の中央部分には、ドラムモータ２６１が取り付けられるようになっており、ドラムモータ２６１を取り付ける際にその位置を決めるための位置決め穴２６６が穿設されている。
【００６８】
ドラムモータ２６１の中央部には、ドラムモータ２６１の回転力を伝達するための回転部１６８ａが位置しており、この回転部１６８ａの表面には、ドラムモータ２６１に回転体２６０を取り付ける際にその位置を決めるための突起部２６８ｂが突設されている。また、ドラムモータ２６１の外周位置には、ドラムモータ２６１をドラム取付板２６４に取り付けるための取付穴２６９が穿設されている。
【００６９】
反射板２６２は、ほぼ長方形の平板の右側端部に円弧状の平板を直角方向に取り付けた形状に形成され、円弧状の平板の側方には、ドラムランプ２７３を支持するための凹部が複数形成された支持部２７１が形成されている。また、支持部２７１の反対面側には、反射板２６２をドラム基板２６３と共にドラム取付板２６４に取り付けるための取付ボス２７２が突設されている。
【００７０】
ドラム基板２６３は、その中央にドラムモータ２６１が挿通される挿通穴２７６が穿設されてほぼドーナツ形状に形成される平板状のものである。このドラム基板２６３の奥側には、回転体２６０の識別情報を照射するためのドラムランプ２７３が複数備えられている。また、ドラムランプ２７３の上方及び下方には、ドラム基板２６３を反射板２６２と共にドラム取付板２６４に取り付けるための取付穴２７５が穿設されている。更に、ドラム基板２６３の奥側下方には、ドラム表示部２０４ａ，２０４ｂと演出制御基板８０を接続するためのドラム接続ケーブル２７４が取り付けられている。
【００７１】
ドラム取付板２６４は、ほぼ平板状に形成されると共に、その奥側の一部が直角方向に切り起こされてドラム取付フランジ２７７として形成され、このドラム取付フランジには、ドラム表示部２０４ａ，２０４ｂを収納ケース２００に取り付けるためのドラム取付ネジ穴２７８が穿設されている。また、ドラム取付板２６４の前面側の上方及び下方は、ドラム表示２０４が収納ケース２００に取り付けられた際に、ドラム板挿入溝２１３に挿入されるドラム板挿入片２７９として形成されている。このドラム板挿入片２７９の近傍には、ドラム取付板２６４に反射板２６２及びドラム基板２６３を取り付けるための取付穴２８１が穿設されている。また、ドラム取付板２６４には、ドラムモータ２６１を取り付けるためのモータ取付穴２８０と、保護部材２６５を取り付けるための保護部材取付穴２８２と、が穿設されている。
【００７２】
保護部材２６５は、外形がほぼ円弧状に形成されるものであり、その端部には、ほぼ部材２６５をドラム取付板２６４に対して取り付けるための取付穴２８４が穿設される共に、円弧状部分の外周には、リブ２８５が突設されている。
【００７３】
上記したドラム表示部２０４ａ，２０４ｂを構成する部材によりドラム表示部２０４ａ，２０４ｂを組み立てるには、まず、ドラム取付板２６４の取付穴２８１とドラム基板２６３の取付穴２７５に挿通した取付ネジ２８３を反射板２６２の取付ボス２７２に螺着することにより、反射板２６２及びドラム基板２６３がドラム取付板２６４に取り付けられる。反射板２６２及びドラム基板２６３をドラム取付板２６４に取り付けた後、保護部材２６５の取付穴２８４に挿通した取付ネジ２８６をドラム取付板２６４の保護部材取付穴２８２に螺着することにより、保護部材２６５がドラム取付板２６４に取り付けられる。保護部材２６５がドラム取付板２６４に取り付けた後、ドラムモータ２６１の取付穴２６９に挿通した取付ネジ２７０をドラム取付板２６４に螺着することにより、ドラムモータ２６１がドラム取付板２６４に取り付けられる。ドラムモータ２６１をドラム取付板２６４に取り付けた後、ドラムモータ２６１の突起部２６８ｂに回転体２６０の位置決め穴２６６を嵌合させ、取付ネジ２６７により回転体２６０をドラムモータ２６１の回転部２６８ａに取り付ける。以上により、ドラム表示２０４が組み立てられる。
【００７４】
なお、ドラム表示部２０４ａ，２０４ｂを構成するドラム取付板２６４は、それぞれ金属板からなると共に、液晶表示部２０３とは反対側に配置されるようになっている。具体的に、左側のドラム表示部２０４ａは、ドラム取付板２６４の右側面（液晶表示部２０３との対向面）にドラムモータ２６１及び回転体２６０を取り付ける一方、右側のドラム表示部２０４ｂは、ドラム取付板２６４の左側面（液晶表示部２０３との対向面）にドラムモータ２６１及び回転体２６０を取り付けている。即ち、回転体２６０は、液晶表示部２０３と金属製のドラム取付板２６４との間に設けられている。このため、ドラムモータ２６１の熱が伝わり易い金属製のドラム取付板２６４を液晶表示部２０３から離れた位置に配置することができ、ひいては液晶表示部２０３をドラム表示部２０４ａ，２０４ｂ（ドラムモータ２６１）の熱から保護するようになっている。
【００７５】
また、取付金具２４６は、板金をほぼコ字状に折り曲げることにより形成され、その両端部が更に外側に向かって折り曲げられている。その一端側は、取付穴２４９を有する取付フランジ２４８として形成され、他端側は、係合部２５０として形成されている。この取付金具２４６の後面側には、取付金具２４６を裏板２４１と共に収納ケース２００に取り付けるための裏板取付穴２４７が穿設されている。
【００７６】
また、裏板２４１は、板金により平板状に形成されるものであり、その下側左右には、演出制御基板ケース２０１のケース挿入片２１６が挿入されるケース挿入溝２４４が穿設されると共に、左右の側部には、裏板２４１を取付金具２４６と共に収納ケース２００に取り付けるための裏板取付穴２４２が穿設されている。また、右側端部には、ドラム用電源基板ケース２０２のケース挿入片（図示しない）が挿入されるドラムケース挿入溝２４５が穿設されている。
【００７７】
しかして、可変表示装置４４を組み立てるには、まず、上記のようにして組み立てたドラム表示部２０４ａ，２０４ｂを収納ケース２００の前面開口部２０５から収納ケース２００内に挿入する。この際、ドラム取付板２６４のドラム板挿入片２７９を収納ケース２００のドラム板挿入溝２１３に挿入すると共に、ドラム取付フランジ２７７を収納ケース２００の奥側の内側面に突き当てる。
【００７８】
ドラム表示部２０４ａ，２０４ｂを収納ケース２００内に挿入した後、液晶表示部２０３のＬＣＤ取付穴２２２に挿通したＬＣＤ取付ネジ２２４を取付ボス２１２に螺着することにより、液晶表示部２０３が収納ケース２００に取り付けられる。
【００７９】
液晶表示部２０３を収納ケース２００に取り付けた後、表示枠２２５を収納ケース２００の前面側からフランジ部２０６に当接させ、表示枠２２５の取付穴２３０に挿通した取付ネジ２３１を収納ケース２００の表示枠取付穴２１９に螺着することにより、表示枠２２５が収納ケース２００に取り付けられる。
【００８０】
表示枠２２５を収納ケース２００に取り付けた後、取付金具２４６を収納ケース２００の取付溝２０８に嵌入する。このとき、取付金具２４６の係合部２５０を表示枠２２５の係合溝２２９に係合させると共に、取付金具２４６の取付フランジ２４８と表示枠２２５の取付フランジ２２７を当接させる。
【００８１】
この状態で、演出制御基板ケース２０１の開口部分に演出制御基板８０を載置し、演出制御基板ケース２０１のケース取付穴２１５及び演出制御基板８０の取付穴２１８に挿通した取付ネジ２１７を収納ケース２００の演出制御基板取付穴２０９に螺着することにより演出制御基板８０及び演出制御基板ケース２０１が収納ケース２００に固定される。
【００８２】
演出制御基板８０及び演出制御基板ケース２０１を収納ケース２００に固定した後、ドラム用電源基板２３４及びドラム用電源基板ケース２０２をこの順番で収納ケース２００の上部に載置し、ドラム用電源基板ケース２０２のケース取付穴２３６及びドラム用電源基板２３４の基板取付穴２３７に挿通したケース取付ネジ２４０を収納ケース２００のドラム用電源基板取付ボス２１０に螺着することにより、ドラム用電源基板ケース２０２及びドラム用電源基板２３４が収納ケース２００に固定される。
【００８３】
ドラム用電源基板ケース２０２及びドラム用電源基板２３４を収納ケース２００に固定した後、演出制御基板ケース２０１のケース挿入片２１６及びドラム用電源基板ケース２０２のケース挿入片（図示しない）を、裏板２４１のケース挿入溝２４４及びドラムケース挿入溝２４５にそれぞれ挿入しながら収納ケース２００の後面側から裏板２４１を当接させる。そして、裏板２４１の裏板取付穴２４２及び取付金具２４６の裏板取付穴２４７に挿通した裏板取付ネジ２４３を収納ケース２００の取付ボス（図示しない）に螺着することにより、裏板２４１及び取付金具２４６が収納ケース２００に固定される。また、裏板２４１のドラム取付穴２５１及び収納ケース２００の取付穴（図示しない）は、収納ケース２００に取り付けたドラム取付板２６４のドラム取付ネジ穴２７８と対応する箇所に位置するため、取付穴２５１及び取付穴（図示しない）に挿通したドラム取付ネジ２１４を螺着することにより、ドラム表示部２０４ａ，２０４ｂが収納ケース２００に固定されることとなる。なお、ドラム接続ケーブル２７４及び電源基板ケーブル２３５は、予め演出制御基板８０に接続しておく。
【００８４】
以上、本実施形態の構成によれば、遊技盤（４０）に形成された遊技領域（４１）に設けられ、識別情報（特別図柄）を可変表示する第１の可変表示装置（例えば、液晶表示部２０３）と第２の可変表示装置（例えば、ドラム表示部２０４ａ，２０４ｂ）がユニット化して構成される可変表示ユニット（例えば、可変表示装置４４）を備えた遊技機（例えば、弾球遊技機１）であって、前記可変表示ユニットは、前記第１の可変表示装置と前記第２の可変表示装置の後面側を一体的に被覆するカバー体（例えば、収納ケース２００）と、前記遊技機における信号の送受信を行う電気基板（例えば、電飾中継基板７５及び盤用外部出力基板７８）と、を備えると共に、前記第１の可変表示装置と前記第２の可変表示装置とでは、ユニット化された状態で前記遊技盤から後方への奥行幅が異なるように設けられ、前記カバー体には、前記第１の可変表示装置と前記第２の可変表示装置とのうち、奥行幅の少ない可変表示装置（液晶表示部２０３）の奥行幅に合わせた凹部（取付凹部２５２）を形成し、該凹部に前記電気基板を取り付けたことを特徴とする。このように構成することにより、ユニット化された状態で遊技盤から後方への奥行幅が異なる第１の可変表示装置と第２の可変表示装置を備えた可変表示ユニットにおいて、遊技盤の裏面スペースにおける設計自由度を向上することができ、然も電気基板を保護するための保護部材を別途設ける必要がない。
【００８５】
また、前記第１の可変表示装置は、画像によって識別情報を可変表示する画像表示装置から構成され、前記第２の可変表示装置は、外周に識別情報を有する回転体を駆動することにより識別情報を可変表示する機械的可変表示装置から構成されることを特徴とする。このように構成することにより、画像表示と機械的な表示との組み合わせによって演出内容を向上することができる。なお、回転体は、実施形態中のような回転ドラムに限定するものではなく、ベルト等を回転体として機械式可変表示装置を構成するようにしてもよい。
【００８６】
また、前記可変表示ユニットの外周部分を装飾する装飾部材（１８０）を備え、前記電気基板は、前記可変表示ユニットと前記装飾部材とに設けられる電気部品への信号配線を中継する中継基板（例えば、電飾中継基板７５）、あるいは前記遊技機の遊技情報を外部に出力するための外部出力基板（例えば、盤用外部出力基板７８）のうち少なくともいずれか一方の基板であることを特徴とする。このように構成することにより、中継基板を電気基板としてカバー体の凹部に取り付けた場合には、可変表示ユニットと装飾部材に設けられる電気部品と中継基板とを接続する配線を短くすることができ、ひいては配線接続の作業性向上と共に電気ノイズを極力少なくすることがてきる。また、配線作業が頻繁に行われる外部出力基板を電気基板としてカバー体の凹部に取り付けた場合には、基板を保護した状態で然も配線作業が行い易い位置に外部出力基板を取り付けることができる。
【００８７】
また、前記カバー体の上部（例えば、貯留防止片２５６）は、前記遊技盤から後方に向って遊技球を誘導する傾斜面によって形成されていることを特徴とする。このように構成することにより、カバー体の上部に零れ落ちた遊技球がカバー体の上部に留まるのを防止することができる。
【００８８】
また、前記凹部には、該凹部における前記電気基板の取付面と前記電気基板との間に所定の間隔をあけて電気基板を取り付けるための取付ボス（２５４）を設けたことを特徴とする。このように構成することにより、電気基板が可変表示ユニットからの熱を直接的に受けることを防止することができ、ひいては電気基板を保護することができる。
【００８９】
また、前記カバー体には、前記可変表示ユニット内の熱を外部に放出するための放熱穴（２５５）を設け、該放熱穴は、前記凹部の前記電気基板が取り付けられていない部分に設けられることを特徴とする。このように構成することにより、電気基板に悪影響を与えることなく可変表示ユニット内の熱を外部に放出することができる。
【００９０】
また、前記カバー体には、前記第１の可変表示装置と前記第２の可変表示装置との間を隔てる隔壁（２１１）を設けたことを特徴とする。このように構成することにより、第１の可変表示装置と第２の可変表示装置との間での熱の干渉を防止することができる。
【００９１】
また、前記第１の可変表示装置と前記第２の可変表示装置を制御する単一のマイクロコンピュータ（例えば、演出制御基板８０のＣＰＵ１６２ａ）を備えたことを特徴とする。このように構成することにより、第１の可変表示装置と第２の可変表示装置との連動をより綿密に行わせることができ、ひいては第１の可変表示装置と第２の可変表示装置との間での同期した表示をより確実に且つ容易に行うことができる。なお、第１の可変表示装置（液晶表示部２０３）と第２の可変表示装置（ドラム表示部２０４ａ，２０４ｂ）との間での連動としては、例えば、図柄の再始動や、液晶表示部２０３で表示するキャラクタ画像がドラム表示部２０４ａ，２０４ｂで表示する図柄の変動に影響を与える演出等があり、このような連動をより綿密に行わせることができる。
【００９２】
また、前記機械的可変表示装置は、前記回転体を駆動する電気的駆動源（例えば、ドラムモータ２６１）と、該電気的駆動源及び前記回転体を前記カバー体に取り付ける金属製の取付基板（例えば、ドラム取付板２６４）と、を備え、前記回転体は、前記画像表示装置と前記取付基板との間に設けられていることを特徴とする。このように構成することにより、電気的駆動源の熱が伝わり易い金属製の取付基板を画像表示装置から離れた位置に配置することができ、ひいては画像表示装置を機械的可変表示装置（電気的駆動源）の熱から保護することができる。
【００９３】
なお、上記した実施形態は、本発明を限定するものではなく、本発明の範囲内で種々の変更が可能である。例えば、実施形態中では、弾球遊技機の構成として、始動玉検出器の入賞玉の検出に伴って可変表示装置での識別情報の変動を開始し、該識別情報が所定の表示結果となると特定遊技状態が発生して可変入賞球装置を開放する弾球遊技機（これを俗に第１種という）を例示しているが、特にこれに限定するものではなく、始動玉検出器の入賞玉の検出に伴って可変入賞球装置を開放し、該可変入賞球装置内の特定領域への打玉の入賞により特定遊技状態を発生する弾球遊技機（これを俗に第２種という）や、始動玉検出器の入賞玉の検出に伴って可変表示装置での識別情報の変動を開始し、該識別情報が所定の表示結果となるなどして、特定領域に打玉が入賞すると特定遊技状態（権利発生状態）が発生し、その特定遊技状態中に特定の入賞口に入賞があると、可変入賞球装置を開放する弾球遊技機（これを俗に第３種という）であってもよい。
【００９４】
【発明の効果】
以上、説明したところから明らかなように、請求項１の発明においては、遊技盤に形成された遊技領域に設けられ、識別情報を可変表示する第１の可変表示装置と第２の可変表示装置がユニット化して構成される可変表示ユニットを備えた遊技機であって、前記可変表示ユニットは、前記第１の可変表示装置と前記第２の可変表示装置の後面側を一体的に被覆するカバー体と、前記遊技機における信号の送受信を行う電気基板と、を備えると共に、前記第１の可変表示装置と前記第２の可変表示装置とでは、ユニット化された状態で前記遊技盤から後方への奥行幅が異なるように設けられ、前記カバー体には、前記第１の可変表示装置と前記第２の可変表示装置とのうち、奥行幅の少ない可変表示装置の奥行幅に合わせた凹部を形成し、該凹部に前記電気基板を取り付けたことを特徴とする。このように構成することにより、ユニット化された状態で遊技盤から後方への奥行幅が異なる第１の可変表示装置と第２の可変表示装置を備えた可変表示ユニットにおいて、遊技盤の裏面スペースにおける設計自由度を向上することができ、然も電気基板を保護するための保護部材を別途設ける必要がない。
【００９５】
また、請求項２の発明においては、前記第１の可変表示装置は、画像によって識別情報を可変表示する画像表示装置から構成され、前記第２の可変表示装置は、外周に識別情報を有する回転体を駆動することにより識別情報を可変表示する機械的可変表示装置から構成されることを特徴とする。このように構成することにより、画像表示と機械的な表示との組み合わせによって演出内容を向上することができる。
【００９６】
また、請求項３の発明においては、前記機械的可変表示装置は、前記回転体を駆動する電気的駆動源と、該電気的駆動源及び前記回転体を前記カバー体に取り付ける金属製の取付基板と、を備え、前記回転体は、前記画像表示装置と前記取付基板との間に設けられていることを特徴とする。このように構成することにより、電気的駆動源の熱が伝わり易い金属製の取付基板を画像表示装置から離れた位置に配置することができ、ひいては画像表示装置を機械的可変表示装置（電気的駆動源）の熱から保護することができる。
【００９７】
また、請求項４の発明においては、前記可変表示ユニットの外周部分を装飾する装飾部材を備え、前記電気基板は、前記可変表示ユニットと前記装飾部材とに設けられる電気部品への信号配線を中継する中継基板、あるいは前記遊技機の遊技情報を外部に出力するための外部出力基板のうち少なくともいずれか一方の基板であることを特徴とする。このように構成することにより、中継基板を電気基板としてカバー体の凹部に取り付けた場合には、可変表示ユニットと装飾部材に設けられる電気部品と中継基板とを接続する配線を短くすることができ、ひいては配線接続の作業性向上と共に電気ノイズを極力少なくすることがてきる。また、配線作業が頻繁に行われる外部出力基板を電気基板としてカバー体の凹部に取り付けた場合には、基板を保護した状態で然も配線作業が行い易い位置に外部出力基板を取り付けることができる。
【００９８】
また、請求項５の発明においては、前記カバー体の上部は、前記遊技盤から後方に向って遊技球を誘導する傾斜面によって形成されていることを特徴とする。このように構成することにより、カバー体の上部に零れ落ちた遊技球がカバー体の上部に留まるのを防止することができる。
【００９９】
また、請求項６の発明においては、前記凹部には、該凹部における前記電気基板の取付面と前記電気基板との間に所定の間隔をあけて電気基板を取り付けるための取付ボスを設けたことを特徴とする。このように構成することにより、電気基板が可変表示ユニットからの熱を直接的に受けることを防止することができ、ひいては電気基板を保護することができる。
【０１００】
また、請求項７の発明においては、前記カバー体には、前記可変表示ユニット内の熱を外部に放出するための放熱穴を設け、該放熱穴は、前記凹部の前記電気基板が取り付けられていない部分に設けられることを特徴とする。このように構成することにより、電気基板に悪影響を与えることなく可変表示ユニット内の熱を外部に放出することができる。
【０１０１】
また、請求項８の発明においては、前記カバー体には、前記第１の可変表示装置と前記第２の可変表示装置との間を隔てる隔壁を設けたことを特徴とする。このように構成することにより、第１の可変表示装置と第２の可変表示装置との間での熱の干渉を防止することができる。
【０１０２】
また、請求項９の発明においては、前記第１の可変表示装置と前記第２の可変表示装置を制御する単一のマイクロコンピュータを備えたことを特徴とする。このように構成することにより、第１の可変表示装置と第２の可変表示装置との連動をより綿密に行わせることができ、ひいては第１の可変表示装置と第２の可変表示装置との間での同期した表示をより確実に且つ容易に行うことができる。
【図面の簡単な説明】
【図１】本実施形態に係る弾球遊技機を示す正面図である。
【図２】弾球遊技機に設けられる遊技盤を示す正面図である。
【図３】弾球遊技機を示す背面図である。
【図４】主基板と各種制御基板及び電気部品との関係を示すブロック図である。
【図５】盤用外部出力基板から出力される各種情報を示すブロック図である。
【図６】演出制御基板の回路構成を示すブロック図である。
【図７】装飾部材を示す斜視図である。
【図８】同図（Ａ）は通路内ＬＥＤと衝突防止片を示す斜視図であり、同図（Ｂ）は誘導通路を示す縦断面図である。
【図９】同図（Ａ）（Ｂ）は遊技状態に応じた通路内ＬＥＤの点灯態様を示すタイムチャートである。
【図１０】可変表示装置の分解斜視図である。
【図１１】可変表示装置の裏面に設けられた盤用外部出力基板と電飾中継基板を示す斜視図である。
【符号の説明】
１　弾球遊技機（遊技機）
４０　遊技盤
４１　遊技領域
４４　可変表示装置（可変表示ユニット）
４８　特別可変入賞球装置
５８　普通可変入賞球装置
６０　始動球検出器
７５　電飾中継基板（電気基板、中継基板）
７８　盤用外部出力基板（電気基板、外部出力基板）
８０　演出制御基板
１５１　主基板
１５１ａ　ＣＰＵ
１６２ａ　ＣＰＵ（マイクロコンピュータ）
１８０　装飾部材
２００　収納ケース（カバー体）
２０３　液晶表示部（第１の可変表示装置、画像表示装置）
２０４ａ，２０４ｂ　ドラム表示部（第２の可変表示装置、機械的可変表示装置）
２１１　隔壁
２５２　取付凹部（凹部）
２５４　取付ボス
２５５　放熱穴
２５６　貯留防止片（上部）
２６０　回転体
２６１　ドラムモータ（電気的駆動源）
２６４　ドラム取付板（取付基板）
【図１】
2004057586.tif 000003
【図２】
2004057586.tif 000004
【図３】
2004057586.tif 000005
【図４】
2004057586.tif 000006
【図５】
2004057586.tif 000007
【図６】
2004057586.tif 000008
【図７】
2004057586.tif 000009
【図８】
2004057586.tif 000010
【図９】
2004057586.tif 000011
【図１０】
2004057586.tif 000012
【図１１】
2004057586.tif 000013